【手続補正書】
【提出日】平成22年7月20日(2010.7.20)
【手続補正１】
【補正対象書類名】特許請求の範囲
【補正対象項目名】全文
【補正方法】変更
【補正の内容】
【特許請求の範囲】
【請求項１】
電子リソース内で意見と事実との区別をプロセッサにより実施するコンピュータ実装方法であって、
名詞を含む検索用語を受け取ること、
前記検索用語に一致する関連する電子リソースを発見すること、
前記検索用語に一致する単語を含む前記関連する電子リソースのリスト及び前記リスト内の前記電子リソースの断片を表示すること、
前記検索用語の名詞と、事実の表現を示唆するように判定された動詞のリストを含むように構成された事実−単語表に一致する１以上の動詞とからなる文書の事実の記述を発見するために、関連する電子リソースをスキャンすること、
前記検索用語と一致しない単語と、前記事実−単語表の単語とからなる事実の抽出処理から、前記関連する電子リソースの部分を削除すること、
前記関連する電子リソースの部分を削除することの後に、前記事実の記述の言語成分を識別するために、前記発見した事実の記述を調査すること、
前記識別した言語成分に基づいた事実として事実の記述を提示するか否かを決定すること、
前記検索用語と、前記検索用語に関連する事実であると判定された事実の記述とを含む文書の少なくとも一部を表現すること
から成ることを特徴とする方法。
【請求項２】
前記識別した言語成分に基づいた事実として事実の記述を提示するか否かを決定することは、
ある事実の記述を考慮からはずすために、前記事実の記述の前記言語成分に関する除外規則を適用すること、
前記事実の記述にスコアをつけること、
考慮するために残っている事実の記述の各々の前記スコアを閾値と比較すること、
前記閾値を超えるスコアを有する事実の記述の各々に対して、事実として前記事実の記述を含む文章の少なくとも一部を提示すること
から成ることを特徴とする請求項１に記載の方法。
【請求項３】
更に会話の部分と共に前記事実の記載の単語にタグを付けることから成ることを特徴とする請求項２に記載の方法。
【請求項４】
会話の部分と共に前記事実の記載の単語にタグを付けることは、単語が動詞か名詞のいずれかであるとき、名詞タグを適用することから成ることを特徴とする請求項３に記載の方法。
【請求項５】
前記除外規則を適用することは、主語の役目を有する統語上の句のための規則の第１のセットを適用することと、目的語の役目を有する統語上の句のための規則の第２のセットを適用することから成ることを特徴とする請求項４に記載の方法。
【請求項６】
規則の前記第１のセットを適用することは、主語又は目的語の意見又は偏った修飾語句を有する名詞句を除外することから成ることを特徴とする請求項５に記載の方法。
【請求項７】
規則の前記第２のセットを適用することは、
固有名詞でない限定記述を含む主語名詞句を除外すること、
代名詞を含む名詞句を除外すること、文書の冒頭に現れない主語名詞句を除外することから成ることを特徴とする請求項５に記載の方法。
【請求項８】
前記名詞句の役目に関係なく、更に規則の第３のセットを適用することから成ることを特徴とする請求項５に記載の方法。
【請求項９】
規則の前記第３のセットを適用することは、前記文章の句読点が疑問符である事実の記述を除外することと、ストップワードを含む句を有する文章を除外することから成ることを特徴とする請求項８に記載の方法。
【請求項１０】
前記事実の記述にスコアを付けることは、前記除外規則の適用後、又は適用中のどちらかに考慮するために残っているこれらの事実の記述だけにスコアを付けることから成ることを特徴とする請求項２に記載の方法。
【請求項１１】
コンピュータが読みとり可能な記録媒体であって、
名詞を含む検索用語を受け取ること、
前記検索用語に一致する関連する電子リソースを発見すること、
前記検索用語に一致する単語を含む前記関連する電子リソースのリスト及び前記リスト内の前記電子リソースの断片を表示すること、
前記検索用語の名詞と、事実の表現を示唆するように判定された動詞のリストを含むように構成された事実−単語表の単語に一致する１以上の動詞とからなる文書の事実の記述を発見するために、複数の関連する電子文書を構文解析すること、
前記検索用語と一致しない単語と、前記事実−単語表の単語とからなる事実の抽出処理から、前記関連する電子文書の部分を削除すること、
前記関連する電子文書の部分を削除することの後に、前記事実の記述の言語成分を識別するために、前記発見した事実の記述を調査すること、
前記言語成分に関する候補となる事実の記述に除外規則を適用することにより、前記識別した言語成分に基づいた前記検索用語に関連する事実として事実の記述を提示するか否かを決定すること、
一致する事実−単語表に基づき、かつ、主語と目的語の個々の重みに基づき、候補となる事実の記述をスコアリングすること、
前記除外規則および事実の記述のスコアリングに従って、前記候補となる事実の記述を考慮からはずすこと、
前記検索用語と、前記検索用語に関連する事実であると判定された事実の記述とを含む文書の少なくとも一部を表現すること
から成ることを特徴とする行為を、プロセッサにより実行されたときに、プロセッサに実行させる実効可能プログラム命令を含むコンピュータが読みとり可能な記録媒体。
【請求項１２】
前記行為は、さらに電子文書の集合を検索して、前記検索用語を含むこれらの文書を発見することにより前記複数の文書を得ることから成り、
前記集合は、前記複数の電子文書を解析する前に前記検索用語を含むこれらの文書を発見するために検索されること
を特徴とする請求項１１に記載のコンピュータが読みとり可能な記録媒体。
【請求項１３】
前記行為は、さらに前記電子文書を入手して前記検索用語を受け取る前に事実の記述を提示すること、又前記電子文書と事実の記述を検索して、これらの電子文書と前記検索用語に関連する対応する事実の記述を見つけることから成ることを特徴とする請求項１１に記載のコンピュータが読取り可能な記録媒体。
【請求項１４】
前記行為は、さらに考慮するために残っている事実の記述の各々の前記スコアを閾値に対して比較すること、
前記検索用語を含み、前記閾値を超えるスコアを有する電子文書から取られた事実の記述の各々に対して、前記検索用語に関連する事実として前記事実の記述を含む前記文章の少なくとも一部を提示することから成ることを特徴とする請求項１１に記載のコンピュータが読みとり可能な記録媒体。
【請求項１５】
前記事実の記述にスコアを付けることは、前記除外規則を適用した後に考慮するために残っているこれらの事実の記述にだけスコアをつけること
から成ることを特徴とする請求項１４に記載のコンピュータが読みとり可能な記録媒体。
【請求項１６】
本文情報から成る複数の電子リソースを含むストレージと、
プロセッサとから成るコンピュータシステムであって、
前記プロセッサは、名詞を含む検索用語を受け取り、前記検索用語と一致する関連する電子リソースを発見し、前記検索用語に一致する単語を含む前記関連する電子リソースのリスト及び前記リスト内の前記電子リソースの断片を表示し、電子文書のセットから前記検索用語に関する事実を提示するための要求を受け取り、前記検索用語の名詞と、事実の表現を示唆するように判定された動詞のリストを含むように構成された事実−単語表の単語に一致する１以上の動詞とからなる文書の事実の記述を発見するために、前記関連する電子文書を構文解析し、前記検索用語と一致しない単語と、前記事実−単語表の単語とからなる事実の抽出処理から、前記関連する電子文書の部分を削除し、前記関連する電子文書の部分を削除した後に、前記事実の記述の言語成分を識別するために、前記発見した事実の記述を調査し、前記識別した言語成分に基づいた事実として事実の記述を提示するか否かを決定し、前記事実として提示されると判定された事実の記述と、前記検索用語に関連する事実の記述とを含む文書の少なくとも一部を表現する
ことを特徴とするコンピュータシステム。
【請求項１７】
表示装置を更に備え、前記表示装置上に前記文章の少なくとも前記部分を表示することにより、前記プロセッサが前記文章の少なくとも前記部分を提示することを特徴とする請求項１６に記載のコンピュータシステム。
【請求項１８】
ネットワークインタフェースを更に備え、前記ネットワークインタフェースを介してこれらの部分を他のコンピュータに出力することにより、前記プロセッサが前記文章の少なくとも前記部分を提示することを特徴とする請求項１６に記載のコンピュータシステム。
【請求項１９】
ネットワークインタフェースを更に備え、前記ストレージは前記ネットワークインタフェースを介して前記プロセッサによりアクセス可能なことを特徴とする請求項１６に記載のコンピュータシステム。
【請求項２０】
前記事実の記述の前記言語成分に関連して除外規則を適用して前記事実の記述の一部を考慮から外すこと、
前記事実の記述にスコアを付けること、
閾値に対して考慮するために残存する事実の記述の各々のスコアを比較すること、
前記検索用語を含み、前記閾値を超えるスコアを有する事実の記述の各々に対して、前記検索用語に関連する事実として前記事実の記述を含む前記文章の少なくとも前記部分を提示すること、
により、事実として事実の記述を提示するか否かを前記プロセッサが決定することを特徴とする請求項１６に記載のコンピュータシステム。